(57)【要約】【課題】  早期に商品専用の回路変更と処理プログラムの変更が可能なＰＬＣを有する自動販売機を提供すること。【解決手段】  商品を販売する自動販売機において、商品を購入するため支払らわれた貨幣を受け入れるとともに、お釣りを払い出す貨幣受入払出装置と、貨幣受入払出装置から出力される前記支払われた貨幣のデータを入力するシーケンサと、を有し、前記貨幣受入払出装置と前記シーケンサとの間をデータ送受する通信手段により接続したことを特徴とする自動販売機とした。【選択図】        図１
2007148727.tif 000002
【特許請求の範囲】
【請求項１】
商品を販売する自動販売機において、
前記商品を購入するため支払らわれた貨幣を受け入れるとともに、お釣りを払い出す貨幣受入払出装置と、
前記貨幣受入払出装置から出力される少なくも前記支払われた貨幣のデータを入力するシーケンサと、を有し、
前記貨幣受入払出装置と前記シーケンサとの間を、データ送受する通信手段により接続したことを特徴とする自動販売機。
【請求項２】
前記貨幣受入払出装置と前記シーケンサとは、少なくも前記支払われた貨幣の金額を金種データとして前記通信手段によって送受することを特徴とする請求項１記載の自動販売機。
【請求項３】
前記貨幣受入払出装置と前記シーケンサとは、それぞれのソフとウエアの変更により、商品の価格変更に対応することを特徴とする請求項１記載の自動販売機。
【発明の詳細な説明】
【技術分野】
【０００１】
この発明は、自動販売機に関する。
【背景技術】
【０００２】
従来の自動販売機においては、お金を出し入れする貨幣受入払出装置（以下ＣＤＳという）に各種の販売物（以下商品という）の代金や料金の計算を行うその商品専用のハードウエアとソフトウエアを組込んだものが周知であった。
【０００３】
従ってＣＤＳメーカーにとっては、商品の代金や料金の計算にはその商品専用の回路を組込む必要があり、そのための処理プログラムを取扱うプログラミングの知識を有する人材が必要であった。
【特許文献１】特開平１０‐２４７２５９号公報
【発明の開示】
【発明が解決しようとする課題】
【０００４】
しかしながら、自動販売機のメーカーでは、例えば商品の価格変更や貨幣種類の変更等の場合、前述の商品専用の回路変更と処理プログラムの変更の際には、早期に対応する必要があり、ハードウェアの変更の必要のないときは、可能な限りソフトウエアで変更の対応ができれば、好都合であって、前述の変更を最小にすることが可能な構成をした自動販売機の提供が課題となっていた。
【０００５】
この発明の自動販売機においては、ソフトウエアを書換することにより制御内容を変更し、商品の代金や料金の計算を行うシーケンサあるいはプログラマブルロジックコントローラともよばれるシーケンス制御を可能とする専門のシーケンス処理用の電子装置（以下ＰＬＣという）を使用し、ＣＤＳと組み合わせれば好都合であり、ＣＤＳとＰＬＣを通信手段により繋げ、ＣＤＳ内の商品専用の面倒な回路変更等をすることなく、可能な限りＰＬＣ内の処理プログラム（制御ソフトウエアやシーケンスプログラムおよび各種データ）を書換るだけで対応できるという結論に達し、本発明に至った。
【０００６】
したがって、この発明の目的は、前述のように従来の自動販売機が商品価格の変更等の場合、自動販売機内に組込まれたＣＤＳが商品専用の回路変更と処理プログラムの変更に早期に対応することがなかなか困難であったという欠点を取除き、早期に商品専用のハードウエアとソフトウエアの変更により、可能ならばソフトウエアのみの変更により、対応可能な自動販売機を提供することである。
【課題を解決するための手段】
【０００７】
前述の目的を達成するため本発明においては、商品を販売する自動販売機において、商品を購入するため支払らわれた貨幣を受け入れるとともに、お釣りを払い出す貨幣受入払出装置と、貨幣受入払出装置から出力される支払われた貨幣のデータを入力するシーケンサと、を有し、貨幣受入払出装置とシーケンサとの間をデータ送受する通信手段により接続したことを特徴とする自動販売機とした。
【０００８】
また、貨幣受入払出装置とシーケンサとは、少なくも支払われた貨幣の金額を金種データとして通信手段によって送受する自動販売機であるように構成すると好適である。
【０００９】
さらにまた貨幣受入払出装置とシーケンサとは、それぞれのソフとウエアの変更により、商品の価格変更に対応する自動販売機であれば好適である。
【発明の効果】
【００１０】
この発明によれば自動販売機において、ＰＬＣがＣＤＳと別に置かれているので構造が簡単であり、商品価格の変更や貨幣の種類の変更等に際し、商品専用の回路変更と処理プログラムの変更により商品価格変更に早急に対処できる自動販売機となった。
【発明を実施するための最良の形態】
【００１１】
本発明の１実施形態を図１ないし図２により本発明の１実施形態を説明すると、１は自動販売機でお金を出し入れするＣＤＳ２と商品の料金計算機能を有するＰＬＣ３が通信手段４を介して互にデータをやり取りするようにしてある。
前記ＣＤＳ２には前記通信手段４の制御をするＣＰＵ５、制御の途中変化するデータを記憶するＲＡＭ７、お金を送込む入金手段９、そしておつり等のお金を出す出金手段１０およびランプの点灯あるいはブザー等によりアウトプットを示す商品を排出する排出手段１１等を有する。
【００１２】
ＰＬＣ３はＣＰＵ１２を有し、基本的な制御の根幹分部であるОＳ（オペレーティングシステム）やこのＰＬＣ３のためのシーケンス制御プログラム２０を制御するプログラム等がストアされているＲОＭ１３、一時記憶するための記憶部であって途中のデータや計算途中の状態をフォローするフラグなどがされ、制御の途中変化するデータを記憶するＲＡＭ１４等を有する。同様に通信手段４はＣＤＳ２とＰＬＣ３の間でデータ通信するためのものであって、例えばＲＳ２３２タイプのシリアルデータをやりとりする。或いはパラレル通信タイプでも可である。
【００１３】
上述のように構成されているこの自動販売機では、ＣＤＳ２のＣＰＵ５はＲОＭ６の制御データに基づき、ＲＡＭ７へ一時的な状態を記憶しつつ、ＰＬＣ３のＣＰＵ１２が全体的な判断や演算を行い、出金手段１０および商品排出手段１１を制御する指令を出力するよう動作する。
【００１４】
次に貨幣支払いを例に採り説明をする。
先ずＣＤＳ２にお金が入金されるとＣＰＵ５は入力ポートから金種を判別して通信手段４を介して金種データをＰＬＣ３へ送信する。仮に２５０円が入力されたとすれば、１００円２枚と５０円１枚で支払われた場合、図２に示すようにＣＤＳ２からはシリアルデータは０００００２１０というデータとなってＰＬＣ３に転送される。
これがＰＬＣ３のＲＡＭ１４内にあるアドレス１４ａに記憶される。例えば商品の値段が２３０円とすると、これはＲОＭ１３から引出され、ＲＡＭ１４内にあるアドレス１４ｂに記憶される。さらにＣＰＵ１２は支払い金額２５０円から商品の値段が２３０円を引算し、おつり２０円を算出する。
【００１５】
この演算結果のおつり２０円はおつり支払い金種としてＲＡＭ１４内にあるアドレス１４ｃに金種１０円２個として記憶される。
アドレス１４ｃに記憶された演算結果は通信手段４によりＣＤＳ２に転送され、ＣＤＳ２内のＣＰＵ５は図示してない支払いポートに連結している出金手段１０よりおつり２０円が支払われる。
【００１６】
次に本発明の目的である貨幣の種類を変更した場合、図３に示すように例えば２０００円が追加された場合を説明すると、変更前にＣＤＳ２からは図３（イ）のようなデータが送られてくるとき、ＣＤＳ製造メーカは、図３（ロ）のように必要な変更をするとともに、ＲОＭ２あるいはＲＡＭ７内のソフトウエアデータの金額データの項目データを変更することにより対処するとともに、ＰＬＣメーカでは、同様にＰＬＣ３の図３の（ロ）のような変更データが送られてくるように貨幣の種類データに対処するよう変更すればよい。この変更には、例えば前述のＲＡＭ１４の金種データのごときデータ構成ならば、その項目を変更して対処が可能である。
【００１７】
次に本発明の別な目的である商品価格を変更した場合、図３に示すような金種データの項目は変更する必要はなく、ただ短にデータ演算する商品価格の額を変更するよう制御用のソフとウエアを変更することにより対処することが可能である。また、この商品金額は、特定のＲＯＭ１３のアドレスに設定してある商品価格の設定データ領域の価格データの定数値を商品価格のデータして設定するよう構成し、その定数値を変更するように構成しておいても良い。この場合には、その定数値が商品価格であるからそれを変更するのみで良い。
またさらに、この定数値は、ＲＡＭ１４のエリアに設定されるよう構成されてもよく、この場合は、ＲＯＭ１３を書きかえる必要はなく、ＲＡＭ１４の当該商品価格のデータ値を変更するよう図示しないデータ書き換えようの装置により行なっても良い。
【００１８】
以上説明したように本発明の自動販売機では、ＰＬＣがＣＤＳと別に組み合わされて構成されているので変更のための対応に構造的に分けられるため、製造メーカなどの違いによりそれぞれ別に簡単に対応できるので、商品価格の変更や貨幣の種類の変更等に際し、構成装置別に専用の回路変更と、あるいは、ただ短にＣＤＳやＰＬＣのソフトウエアの変更により、同様なハード構成で早急に変更への対処が可能となる自動販売機となった。
【図面の簡単な説明】
【００１９】
【図１】この発明が適用される自動販売機の概要を示す説明面図である。
【図２】この発明による自動販売機のＰＬＣ内のＲＡＭに記憶されるプログラムの一例を示す図である。
【図３】この発明による他の自動販売機の概要を示す説明面図においてプログラム処理される金種データの一例を示す図である。
【符号の説明】
【００２０】
１  自動販売機
２  ＣＤＳ
３  ＰＬＣ（シーケンサ）
４、４０  通信手段
５、１２  ＣＰＵ
６、１３  ＲОＭ
７、１４  ＲＡＭ
９  入金手段
１０  出金手段
１１  商品排出手段
２０  シーケンスプログラム
【図１】
2007148727.tif 000003
【図２】
2007148727.tif 000004
【図３】
2007148727.tif 000005